(57)【要約】      （修正有）【課題】既存の衣服を着用しても身体を温めることができる発熱ライナーを提供する。【解決手段】身体に装着する装着具の裏地に用いられたり装着具の下に着用されたりすることで身体を温める機能を発揮するものであって、織布、不織布、編物、合成樹脂フィルム等の薄手の基材２に、面状の発熱体３を熱接着性フィルム４等を用いてラミネートしたものである。発熱体３は、複数の発熱コア３１を間隔をあけて配置し配線３２、３３で連結した発熱ユニット３０を１つ又は２つ以上設けられていることが好ましい。【選択図】図１
0003197738.tif 000002
【実用新案登録請求の範囲】
【請求項１】
身体に装着する装着具の裏地に用いられたり装着具の下に着用されたりすることで身体を温める機能を発揮するものであって、織布、不織布、編物、合成樹脂フィルム等の薄手の基材に、面状の発熱体をラミネートしたことを特徴とする発熱ライナー。
【請求項２】
前記発熱体のラミネートは、熱接着性フィルムを用いた請求項１に記載の発熱ライナー。
【請求項３】
前記基材は、前記発熱体をラミネートする面の平滑性に優れた基材である請求項１又は２に記載の発熱ライナー。
【請求項４】
前記発熱体は、複数の発熱コアを間隔をあけて配置し配線で連結した発熱ユニットを１つ又は２つ以上設けられている請求項１〜３のいずれか１項に記載の発熱ライナー。
【請求項５】
前記基材が、透湿防水性を有し、前記熱接着性フィルムが、透湿防水フィルムである請求項１〜４のいずれか１項に記載の発熱ライナー。
【請求項６】
前記基材が、透湿防水性の熱接着性フィルムの表裏に、織布、不織布、編物の繊維基材をそれぞれラミネートした透湿防水性素材であり、
前記熱接着性フィルムが、透湿防水フィルムの一方の面に繊維基材をラミネートした透湿防水熱接着性フィルムである請求項１〜４のいずれか１項に記載の発熱ライナー。
【請求項７】
前記基材が、防湿防水性を有し、前記熱接着性フィルムが、防湿防水フィルムである請求項１〜４のいずれか１項に記載の発熱ライナー。
【請求項８】
前記基材が、ビブス状に形成されている請求項１〜７のいずれか１項に記載の発熱ライナー。
【考案の詳細な説明】
【技術分野】
【０００１】
本考案は、既存の衣服を着用しても身体を温めることができる発熱ライナーに関するものである。
【背景技術】
【０００２】
従来から、人等の保温をするための保温具として、例えば、特許文献１に記載された衣服が知られている。この保温具は、ジャケット等の衣服本体と、この衣服本体に取付けられて発熱コイルを用いた電気ヒータとで構成されている。電気ヒータに電源を接続することにより、電気ヒータが電源からの電力により発熱して衣服本体を着用した身体を温めることができる。
【先行技術文献】
【特許文献】
【０００３】
【特許文献１】特開２００３−１８３９１３号公報
【考案の概要】
【考案が解決しようとする課題】
【０００４】
しかしながら、上述の保温具は、衣服であり、例えば、ジャケットであると、このジャケットを着用しない限り身体を温めることができないので、身体を温めるためには既存のジャケットを着用することができない。
【０００５】
本考案が解決しようとする課題は、既存の衣服を着用しても身体を温めることができる発熱ライナーを提供することにある。
【課題を解決するための手段】
【０００６】
前記課題を解決するため、本考案に係る発熱ライナーは、身体に装着する装着具の裏地に用いられたり装着具の下に着用されたりすることで身体を温める機能を発揮するものであって、織布、不織布、編物、合成樹脂フィルム等の薄手の基材に、面状の発熱体をラミネートしたことを特徴とする。
【０００７】
このように、薄手の基材に、面状の発熱体をラミネートした本考案に係る発熱ライナーを例えばジャケット等の裏地に用いたりジャケットの下に着用したりすることで身体を温める機能を発揮するので、既存の衣服を着用しても身体を温めることができる。
【０００８】
この場合、発熱体のラミネートを、熱接着性フィルムを用いることができ、基材を、発熱体をラミネートする面の平滑性が優れた基材にすることができる。また、発熱体を、複数の発熱コアを間隔をあけて配置し配線で連結した発熱ユニットを１つ又は２つ以上設けて構成することができる。さらに、基材が透湿防水性を有し、熱接着性フィルムが透湿防水フィルムであることが好ましく、例えば、基材が、透湿防水性の熱接着性フィルムの表裏に、織布、不織布、編物の繊維基材をそれぞれラミネートした透湿防水性素材であり、熱接着性フィルムが、透湿防水フィルムの一方の面に繊維基材をラミネートした透湿防水熱接着性フィルムであることが好ましい。また、基材が、防湿防水性を有し、熱接着性フィルムが、防湿防水フィルムであってもよい。さらに、基材を、ビブス状に形成することができる。
【考案の効果】
【０００９】
本考案によれば、既存の衣服を着用しても身体を温めることができる。
【図面の簡単な説明】
【００１０】
【図１】本考案に係る一例の実施形態の発熱ライナーを示す斜視図である。
【図２】本実施形態の発熱ライナーを示す図で、（ａ）は前身頃の裏面を示す図、（ｂ）は後身頃の裏面を示す図である。
【図３】本実施形態の発熱ライナーに用いられる発熱部の一例を示す平面図である。
【考案を実施するための形態】
【００１１】
以下、本考案に係る発熱ライナーの一実施形態を添付図面に基づいて説明する。図１及び図２に示すように、本考案に係る発熱ライナー１は、身体に装着する装着具の裏地に用いられたり装着具の下に着用されたりすることで身体を温める機能を発揮するものである。装着具としては、身体に装着するものであれば特に限定されず、例えば、衣服、コルセット、装身具、保護具等が挙げられる。本実施形態では、発熱ライナー１として、衣服の下に着用するビブス型のものについて説明するが、これに限定されるものではない。すなわち、ビブス型の発熱ライナー１は、衣服とは異なり単体では身体を温める機能を発揮し難く、衣服の裏地に使用されたり衣服の下に着用されたりすることで身体を温める機能を発揮するものである。
【００１２】
発熱ライナー１は、薄手の基材２に、面状の発熱体３をラミネートしたものである。基材２は、身体に装着する衣服等に用いられるもので、例えば、織布、不織布、編物、合成樹脂フィルム等が用いられる。基材２は、１つの基材２からなるものでも２つ以上の基材２からなるものでもよく、また、発熱体３をラミネートする面が平滑性に優れたものであることが好ましい。基材２としては、例えば、合羽等の素材に用いられる３層構造や２層構造のの透湿防水性素材等が用いられる。透湿防水性素材としては、特に限定されず、例えば、ＰＴＦＥ（ポリテトラフルオロエチレン）等の透湿防水性の熱接着性フィルムの表裏に、織布、不織布、編物の繊維基材をそれぞれラミネートしたもの等が用いられる。
【００１３】
基材２の形状は、用途、目的等に応じて任意に設定され、例えば、ビブス状等に形成される。このビブス状の基材２は、例えば、略Ｕ字状の前身頃２ａと、前身頃２ａと上部で連結された後身頃２ｂと、前身頃２ａと後身頃２ｂの両側端部をそれぞれ長さ調節可能に連結する連結ベルト２ｃとからなる。本実施形態では、基材２として、透湿防水性素材をビブス状に形成した場合について説明するが、これに限定されるものではない。
【００１４】
発熱体３は、電力の供給を受けて発熱する面状（フィルム状）の発熱部材であり、例えば、ゲルマニウム等を樹脂に混練したものをフィルム状に形成し、シリコン樹脂で被服したものが用いられる。この発熱体３は、例えば、幅略      ｍｍ、高さ略    ｍｍの細長矩形のフィルム状に形成した電圧がＤＣ５Ｖ、最大消費電流が１５０ｍＡ以下の発熱コア３１を３つを３０ｍｍ間隔で配置し、これら発熱コア３１を、略中央部で第１電極線３２で連結し、３つの発熱コア３１の一方の端部を連結してから他方の端部を第２電極線３３で連結した発熱ユニット３０等で構成される。発熱ユニット３０の構成は、発熱コア３１の種類、形状、数、配置等は、特に限定されない。発熱ユニット３０は、基材２の裏側（裏地側）の所望の箇所に１つ又は２つ以上配置されている。例えば、発熱ユニット３０は、基材２の前身頃２ａの裏側の中央部であって下方よりと後身頃２ｂの裏側の中央部であって下方よりの２箇所に発熱コア３１が上下方向に沿った状態で配置されてラミネートされている。
【００１５】
発熱体３のラミネートは、発熱体３をラミネートし得るのであればその方法は特に限定されず、例えば、接着芯等を用いてもよいが、熱接着性フィルム４を用いることが好ましい。熱接着性フィルム４としては、例えば、ＰＰ（ポリプロピレン）、ＰＥ（ポリエチレン）、ＰＥＴ（ポリエチレンテレフタレート）、ＰＡ（ポリアミド）、エチレン・ビニルアルコール共重合体、ポリカーボネート、アルミ箔、セロファン、ＰＴＦＥ（ポリテトラフルオロエチレン）等が用いられる。熱接着性フィルム４は、ラミネートする面（ラミネート面）と反対側の面には、織布、不織布、編物の繊維基材がラミネートされていてもよいしされていない単独のものでもよい。
【００１６】
熱接着性フィルム４のラミネートの方法としては、例えば、基材２に発熱体３と熱接着性フィルム４を積層し、これを熱プレス又は熱プレスロール加工等により圧着、融着といったラミネート加工法が用いられる。ラミネート加工時の熱プレス又は熱プレスロールの処理温度は、特に限定されず、基材２、発熱体３、熱接着性フィルム４の種類により任意に設定されるが、例えば、１２０〜１５０℃であることが好ましい。また、ラミネート加工時のプレス圧力も特に限定されず任意に設定される。
【００１７】
熱接着性フィルム４としては、基材２が透湿防水性を有する場合には、ＰＴＦＥ等の透湿防水性のフィルムを用いることが好ましい。熱接着性フィルム４としては、例えば、基材２が透湿防水性素材である場合、ＰＴＦＥ等の透湿防水性の熱接着性フィルムが好ましく、ラミネート面と反対側の面に繊維基材がラミネートされた熱接着性フィルムを用いてもよい。ラミネートする箇所すなわち熱接着性フィルム４の大きさ及び形状は、１つの発熱ユニット３０を覆い得る形状、例えば、矩形状に形成される。例えば、発熱ユニット３０が基材２の前身頃２ａと後身頃２ｂの２箇所に配置される場合には、各発熱ユニット３０をそれぞれ１枚の熱接着性フィルム４でラミネートするようにすることが好ましい。
【００１８】
発熱ユニット３０を熱接着性フィルム４でラミネートする際には、発熱コア３１を連結した第１電極線３２と第２電極線３３に予め配線５を接続し、この配線５を接続した状態でラミネートを行うようにすることが好ましい。配線５は、例えば、一端がそれぞれ発熱ユニット３０に接続される２本の配線本体５１ａ、５１ｂと、２本の配線本体５１ａ、５１ｂの他端が接続されている電源ジャック５２とからなる。一方の配線本体５１ａは、前身頃２ａの発熱ユニット３０に接続されている。他方の配線本体５１ｂは、電源ジャック５２から前身頃２ａの上方に延びてから後身頃２ｂの上方から下方へ延びて後身頃２ｂの発熱ユニット３０に接続されている。配線本体５１ａ、５１ｂ、特に他方の配線本体５１ｂは、基材２に配置（配線）された後にシーリングテープ１５や接着芯等でシーリング処理されていることが好ましい。
【００１９】
電源ジャック５２は、基材２の前身頃２ａの裏側の発熱ユニット３０の左側に電源ジャック５２に例えばUSBコード９等の電源コードが接続可能にシーリングテープや接着芯などで取り付けられている。電源ジャック５２にUSBコード９を接続し、このUSBコード９をバッテリ８に接続することにより、バッテリ８から発熱ユニット３０の各発熱コア３１に電力が供給されて各発熱コア３１が発熱されるようになっている。バッテリ８は、各発熱コア３１をそれぞれ発熱させることができれば特に限定されないが、衣服の内側等のポケットに収納したり衣服に装着し得る携帯性に優れたもの、例えば、スマートフォンやタブレット端末用の予備電源として用いられる一般的な携帯端末用バッテリ（モバイル用充電電池（リチウム電池、6000ｍA 定格出力DC5V/1.0A）等）が好ましい。
【００２０】
次に、上記のように構成した発熱ライナー１は、薄手の基材２に、面状の発熱体３をラミネートしたものであり、身体に装着する装着具の裏地に用いられたり装着具の下に着用されたりすることができる。例えば、発熱ライナー１をジャケットの下に着用することで、身体を温めることができる。すなわち、発熱ライナー１を身体に装着し、この発熱ライナー１の上にジャケットを着て、ジャケット等に入れたバッテリ８にUSBコード９を介して電源ジャック５２を接続する。これにより、バッテリ８から発熱ユニット３０の各発熱コア３１に電力が供給されて各発熱コア３１が発熱され、身体を温めることができる。したがって、発熱ライナー１は、既存の衣服を着用しても身体を温めることができる。
【００２１】
発熱コア３１は、定格５V、最大１５０ｍAの電力で発熱するようにしているのでＵＳＢ規格の給電コネクタから電力の供給を受けることができ、バッテリ８としてスマートフォンやタブレット等の携帯端末用の予備電源として用いられる一般的な携帯端末用バッテリを用いることができる。携帯電話用バッテリは駅の売店やコンビニエンスストア等様々な場所で購入することができるので、バッテリ８の予備を容易に準備することが可能であり、適宜バッテリを交換することにより保温効果の持続時間を延ばすことができる。また、オフィス等で発熱ライナー１を使用する場合にはバッテリを用いずに、パーソナルコンピュータ等に備えられたＵＳＢコネクタから電力を供給することもできる。
【００２２】
発熱コア３１は、フィルム状の発熱部材であり、発熱コア３１の一部に破損が生じても発熱できる上に、一の発熱コア３１が使用不能な状況に陥っても他の発熱コア３１に影響を与えないので、高い耐久性を発揮することができる。
【符号の説明】
【００２３】
１  発熱ライナー
２  基材
３  発熱体
４  熱接着性フィルム
３０  発熱ユニット
３１  発熱コア
【図１】
0003197738.tif 000003
【図２】
0003197738.tif 000004
【図３】
0003197738.tif 000005